(57)【要約】【解決手段】  回転テーブル１１には、回転可能に設けられた容器支持部１３によって口部１ｂを下方に向けた容器１が支持されており、容器の内部には内洗ノズル６が挿入されるとともに、外部には外洗ノズル７が設けられている。  内洗ノズルおよび外洗ノズルは容器の内面および外面に洗浄液を噴射し、このとき内洗ノズルおよび外洗ノズルが噴射する洗浄液による容器を下方に押圧する付勢力の合成力を、容器を上昇させる付勢力の合成力よりも大きく設定して、上記容器を容器支持部に押圧保持させるようになっている。【効果】  自立しにくい容器や軽量な容器であっても、当該容器の内面および外面の全周を洗浄することが可能である。【選択図】  図３
2009125644.tif 000002
【特許請求の範囲】
【請求項１】
口部を下方に向けた容器を下方から支持する容器支持部と、容器の口部より挿入されて該容器の内面に洗浄液を噴射する内洗ノズルと、容器の外部に設けられて該容器の外面に洗浄液を噴射する外洗ノズルとを備えた容器洗浄装置において、
上記内洗ノズルが噴射する洗浄液と外洗ノズルが噴射する洗浄液とによる容器を下方に押圧する付勢力の合成力を、上記内洗ノズルが噴射する洗浄液と外洗ノズルが噴射する洗浄液とによる容器を上昇させる付勢力の合成力よりも大きく設定して、上記容器を容器支持部に押圧保持させることを特徴とする容器洗浄装置。
【請求項２】
上記内洗ノズルおよび外洗ノズルから噴射されて容器に吹き付けられる下向きの洗浄液の流量を、上記内洗ノズルおよび外洗ノズルから噴射されて容器に吹き付けられる上向きの洗浄液の流量より大きく設定したことを特徴とする請求項１に記職の容器洗浄装置。
【請求項３】
上記容器支持部を水平方向に旋回させながら該容器支持部に支持された容器を水平方向に回転させる回転手段を備え、
上記内洗ノズルおよび外洗ノズルは容器支持部に対して所定の位置に固定されるとともに、上記容器支持部の旋回に伴って旋回するように設けられ、
上記回転手段によって容器を旋回させながら回転させ、かつ上記内洗ノズルおよび外洗ノズルが洗浄液を噴射することで、容器の内外面の全面を洗浄することを特徴とする請求項１または請求項２のいずれかに記載の容器洗浄装置。
【請求項４】
上記容器支持部が回転可能に設けられる回転テーブルを備え、
上記回転手段は、上記回転テーブルを回転させる駆動手段と、上記回転テーブルの回転中心と同心円上に固定された太陽ギヤと、上記容器支持部に設けられて上記太陽ギヤに噛合する遊星ギヤとから構成され、
上記内洗ノズルに設けた噴射孔と、上記外洗ノズルに設けた噴射孔とを相互に向き合うように配置したことを特徴とする請球項３に記載の容器洗浄装置。
【請求項５】
上記容器支持部が回転可能に設けられる回転テーブルを備え、
上記回転手段は、上記回転テーブルを回転させる駆動手段と、上記回転テーブルの回転中心と同心円上に固定されるとともに容器の側部に当接するように設けられた固定ガイドとを備え、
上記内洗ノズルが噴射する洗浄液の付勢力と、外洗ノズルが噴射する洗浄液の付勢力との合成力によって容器を固定ガイドに押圧するように設定したことを特徴とする請求項３に記職の容器洗浄装置。
【発明の詳細な説明】
【技術分野】
【０００１】
本発明は容器洗浄装置に関し、具体的には内洗ノズルおよび外洗ノズルによって容器の内面および外面を洗浄する容器洗浄装置に関する。
【背景技術】
【０００２】
従来、容器の内面および外面を洗浄する容器洗浄装置が知られており、このような容器洗浄装置として口部を下方に向けて容器を下方から支持するとともに、この容器の口部より内洗ノズルを挿入して該容器の内面に洗浄液を噴射し、さらに容器の外部に設けた外洗ノズルより該容器の外面に洗浄液を噴射するものが知られている（特許文献１）。
また、内洗ノズルにより容器の内面を洗浄する容器洗浄装置として、保持部材により容器の外面の底部を保持しながら、容器の口部より内洗ノズルを挿入して該容器の内面に洗浄液を噴射するものも知られている（特許文献２）。
【特許文献１】特開平１０−２７７５１１号公報
【特許文献２】特開２００１−３００４４１号公報
【発明の開示】
【発明が解決しようとする課題】
【０００３】
ここで上記特許文献１の容器洗浄装置においては、洗浄する容器の口部の周囲にはプロテクタが形成されており、また容器自体に重量があるため、容器を自立させた状態で内面と外面の洗浄を行うことができる。
しかしながら、自立しにくい容器や軽量な容器を洗浄する場合、上記内洗ノズルおよび外洗ノズルから噴射された洗浄液が該容器に衝突することで発生する付勢力により、容器が脱落して適切に容器を洗浄できないおそれがある。
一方、特許文献２の容器洗浄装置では、軽量で口部の周囲にプロテクタの配置されていないトナー収納ボトルの内面を洗浄しており、容器を洗浄する際には容器の底部を保持部材によって上方から押圧保持するようになっている。
しかしながら、上記保持部材によって容器の底部を保持すると、該容器の外面も洗浄しようとした場合に、保持部材の接触する部分に洗浄液を噴射することができず、当該部分を洗浄することができない。
このような問題に鑑み、本発明は自立しにくい容器や軽量な容器であっても、容器の内面および外面の全面を洗浄することの可能な容器洗浄装置を提供するものである。
【課題を解決するための手段】
【０００４】
すなわち、本発明にかかる容器洗浄装置は、口部を下方に向けた容器を下方から支持する容器支持部と、容器の口部より挿入されて該容器の内面に洗浄液を噴射する内洗ノズルと、容器の外部に設けられて該容器の外面に洗浄液を噴射する外洗ノズルとを備えた容器洗浄装置において、
上記内洗ノズルが噴射する洗浄液と外洗ノズルが噴射する洗浄液とによる容器を下方に押圧する付勢力の合成力を、上記内洗ノズルが噴射する洗浄液と外洗ノズルが噴射する洗浄液とによる容器を上昇させる付勢力の合成力よりも大きく設定して、上記容器を容器支持部に押圧保持させることを特徴としている。
【発明の効果】
【０００５】
上記発明によれば、上記内洗ノズルが噴射する洗浄液と外洗ノズルが噴射する洗浄液とによる容器を下方に押圧する付勢力の合成力によって、容器を容器支持部に押圧保持することができる。
これにより、特許文献２のように保持部材によって上方から容器を押圧保持せずとも、容器が容器支持部より脱落しないように安定した状態で支持することができ、容器の内面および外面の全面を洗浄することができる。
【発明を実施するための最良の形態】
【０００６】
以下図示実施例について説明すると、図１、図２は容器１の内面および外面を洗浄する容器洗浄装置２を示している。
上記容器１は樹脂製のいわゆるガロンボトルであって、１ガロン（約３．７９Ｌ）の液体を収容可能となっている。この容器１は大径の本体部１ａと、小径で開口部の形成された口部１ｂと、本体部１ａと口部１ｂとの間に形成された傾斜部１ｃとから構成されている。そしてこの容器１は上記口部１ｂが下を向いた状態で上記容器洗浄装置２に投入されるようになっている。
上記容器洗浄装置２は、開閉扉３ａを備えたハウジング３と、水平面内で円周上等間隔に複数の容器１を口部１ｂが下を向いた状態で支持する容器支持手段４と、容器支持手段４によって支持された各容器１を旋回および回転させる回転手段５と、各容器１の内面に洗浄液を噴射する内洗ノズル６と、各容器１の外面に洗浄液を噴射する外洗ノズル７と、各内洗ノズル６および各外洗ノズル７に洗浄液を供給する送液ポンプ８とから構成されている。
なお以下の説明において、「旋回」とは容器１等が下記回転テーブル１１の回転中心に対して水平方向に公転することをいうものとする。
【０００７】
上記ハウジング３は開閉可能に設けられた開閉扉３ａ（図１参照）と、ハウジング３の内部を上下に区画する隔壁３ｂ（図２参照）とを備えている。
上記開閉扉３ａは容器１の洗浄時に閉鎖されて洗浄液が外部に飛散しないようになっており、容器１の投入時および取出し時に開放されて作業者が容器１の投入および取出しを行うようになっている。
上記隔壁３ｂはハウジング３を上記容器支持手段４の位置する上方の空間と上記送液ポンプ８の位置する下方の空間とに液密に区画し、隔壁３ｂの上方には洗浄液が貯溜されるようになっている。
また隔壁３ｂには排水口３ｃが形成され、該排水口３ｃには隔壁３ｂの上部に貯溜された洗浄液を上記送液ポンプ８に供給するための配管９が設けられている。
このため、送液ポンプ８によって送液された洗浄液は上記各内洗ノズル６および各外洗ノズル７から噴射された後、上記隔壁３ｂの上部に落下して一時的に貯溜され、その後上記排水口３ｃより上記配管９を介して送液ポンプ８に供給されるようになっている。
【０００８】
上記容器支持手段４は円盤状の回転テーブル１１と、上記隔壁３ｂを上下に貫通するとともに上記回転テーブル１１の固定された回転軸１２と、回転テーブル１１上面に設けられて上記容器１を下方から支持する複数の容器支持部１３とから構成されている。
上記回転テーブル１１の外周には等間隔に１２の容器支持部１３が設けられており、各容器支持部１３の設けられる位置には内洗ノズル６が下方から上方に貫通した状態で設けられている。
上記回転軸１２は中空であって上記洗浄液を流通させるようになっており、この回転軸１２の下端にはロータリージョイントを介して上記送液ポンプ８が連結されている。
さらに、回転軸１２には各容器支持部１３に向けて放射状に上記内洗ノズル６および外洗ノズル７が連結されており（図１参照）、回転軸１２内の洗浄液は内洗ノズル６および外洗ノズル７に供給されるようになっている。
【０００９】
図３、図４に示すように、上記容器支持部１３は筒状の保持部材１３ａと、該保持部材１３ａより放射状に３方向に設けられた支持バー１３ｂと、上記保持部材１３ａを回転テーブル１１上に回転可能に支持するスラスト軸受１３ｃとから構成されている。
上記保持部材１３ａの中央には上記内洗ノズル６の貫通する貫通孔１３ｄと、該貫通孔１３ｄの上部に形成されて上記容器１の口部１ｂを収容する収容部１３ｅとが形成され、容器１は口部１ｂが貫通孔１３ｄと収容部１３ｅとの間に形成された段差部に当接ないし若干上方に離隔した状態で保持されるようになっている。
さらに、保持部材１３ａには上記収容部１３ｅと保持部材１３ａの外面とを連通させる排水通路１３ｅが放射状に形成されており、容器１および上記収容部１３ｅに溜まった洗浄液はこの排水通路１３ｅから排出されるようになっている。
支持バー１３ｂは容器１の傾斜部１ｃの角度に合わせて設けられており、この支持バー１３ｂによって容器１を下方から支持するようになっている。
【００１０】
回転手段５は、ハウジング３の上部に設けられて回転軸１２を回転させる駆動モータ５ａと、上記容器支持部１３の保持部材１３ａの外面に形成された遊星ギヤ５ｂと、該遊星ギヤ５ｂに噛合する太陽ギヤ５ｃとから構成されている。
上記太陽ギヤ５ｃは上記回転テーブル１１を囲繞するように設けられ、隔壁３ｂに固定された複数の支柱５ｄと、該支柱５ｄに固定されたリング状部材５ｅとによって遊星ギヤ５ｂと噛合する高さに保持されている。
このような構成により、上記駆動モータ５ａにより回転軸１２を回転させると、回転テーブル１１が回転軸１２を中心に回転し、このとき太陽ギヤ５ｃと遊星ギヤ５ｂとが噛合しているため、保持部材１３ａは回転軸１２を中心に旋回し、かつスラスト軸受１３ｃによって回転テーブル１１上で回転することとなる。
これにより、容器支持部１３に支持されている容器１は回転軸１２を中心に水平方向に旋回し、また回転テーブル１１上で回転することとなる。
【００１１】
上記内洗ノズル６は、容器支持手段４の回転テーブル１１に形成された貫通孔および上記保持部材１３ａの貫通孔１３ｄより上方に突出するように設けられており、その先端は容器支持部１３に支持された容器１の内部に露出するようになっている。
内洗ノズル６における容器１の内部に露出する部分には複数の噴射孔６ａが設けられており、該噴射孔６ａは容器１の内面に対して、回転軸１２側の底部から傾斜部１ｃにかけて洗浄液を噴射するようになっている。
上記外洗ノズル７は、回転軸１２より水平に設けられるとともに、途中から上下方向に分岐しており、上方に分岐した通路は容器１の底部の上方まで設けられ、下方に分岐した通路は容器１の傾斜部１ｃの下方まで設けられている。
そして外洗ノズル７にも複数の噴射孔７ａが設けられており、該噴射孔７ａは容器１の外面に対して、回転軸１２側の底部から傾斜部１ｃにかけて洗浄液を噴射するようになっている。
つまり内洗ノズル６および外洗ノズル７の噴射孔６ａ，７ａは相互に向き合う方向に洗浄液を噴射するようになっている。
また、各内洗ノズル６および外洗ノズル７は上記回転軸１２に接続されており、回転軸１２が回転すると上記回転テーブル１１上の容器支持部５の旋回に伴って旋回するようになっている。
【００１２】
そして上記内洗ノズル６および外洗ノズル７から洗浄液を容器１に向けて噴射すると、噴射された洗浄液が容器１の内面および外面に衝突して容器１を押圧する付勢力が生じる。
そしてこの内洗ノズル６および外洗ノズル７が噴射する洗浄液による容器１を押圧する付勢力のバランスが取れていないと、容器支持部１３の上方に載置されているだけの軽量な容器１は簡単に容器支持部１３から脱落してしまうこととなる。
そこで、本実施例では上記内洗ノズル６および外洗ノズル７より噴射される洗浄液による容器１を押圧する付勢力について、以下のような設定を行っている。
まず容器１の上下方向では、内洗ノズル６および外洗ノズル７が噴射する洗浄液による容器１を下方に押圧する付勢力の合成力が、容器１を上昇させる付勢力の合成力よりも大きくなるように設定している。
また容器１の図示左右方向、すなわち回転テーブル１１の直径方向では、内洗ノズル６および外洗ノズル７が噴射する洗浄液による容器１を押圧する付勢力がほぼ釣り合うように設定している。
このように付勢力を設定することで、容器１は洗浄液による付勢力によって容器支持部１３に上方から押圧保持されることとなり、容器１が容器支持部１３から脱落してしまうのを防止することができるとともに、容器１を安定して回転させることができる。
【００１３】
以下、内洗ノズル６および外洗ノズル７より噴射される洗浄液による付勢力の合成力について具体的に説明する。
最初に、容器１を下方に押圧する付勢力の合成力は、主に内洗ノズル６が容器１の傾斜部１ｃに噴射した洗浄液と、外洗ノズル７が容器１の底部に噴射した洗浄液とから得られる付勢力を合成したものとなる。
一方、容器１を上昇させる付勢力の合成力は、主に内洗ノズル６が容器１の底部に噴射した洗浄液と、外洗ノズル７が容器１の傾斜部１ｃに噴射した洗浄液とから得られる付勢力を合成したものとなる。
さらに、容器１を回転軸１２の内側に押圧する付勢力の合成力は、主に内洗ノズル６が容器１の側部に噴射した洗浄液と、内洗ノズル６が容器１の傾斜部１ｃに噴射した洗浄液とから得られる付勢力を合成したものとなる。
そして、容器１を回転軸１２の外側に押圧する付勢力の合成力は、外洗ノズル７が容器１の側部に噴射した洗浄液と、内洗ノズル６が容器１の傾斜部１ｃに噴射した洗浄液とから得られる付勢力を合成したものとなる。
【００１４】
そして本実施例では内洗ノズル６、外洗ノズル７が噴射する洗浄液による容器１を下方に押圧する付勢力が、容器１を上昇させる付勢力よりも大きくなるよう、噴射孔６ａ，７ａの位置や向き等を設定している。
具体的には、図４に示すように外洗ノズル７の容器１の底部に向かう噴射孔７ａの個数を多くすることで、内洗ノズル６の上向きの噴射孔６ａより噴射されて容器１の底部に吹き付けられる洗浄液の流量に対して、外洗ノズル７の下向きの噴射孔７ａより噴射されて容器１の底部に吹き付けられる洗浄液の流量を多くするようにしている。
なお、回転テーブル１１の直径方向における付勢力の釣り合いについては、厳密に設定する必要はなく、上記容器１を容器支持部１３に押圧保持した状態で、確実に容器１が回転し、かつ容器１が脱落しない程度に設定すればよい。
以上のような設定により、容器１を容器支持部１３に押圧保持することができ、しかも回転テーブル１１の直径方向での押圧力が釣り合っているため、噴射された洗浄液によって容器１が容器支持部１３より脱落しないようになっている。
【００１５】
以上の構成を有する容器洗浄装置２の動作について説明する。
最初に、回転テーブル１１は上記駆動モータ５ｃによって低速で回転しており、一方上記送液ポンプ８は停止して内洗ノズル６および外洗ノズル７からは洗浄液が噴射されていない。
この状態から、作業者は開閉扉３ａを開け、開閉扉３ａに最も接近している容器支持部１３に容器１を投入する。このとき、容器支持部１３より上方に突出している内洗ノズル６を容器１の口部１ｂに挿入させ、その上で容器１の傾斜部１ｃが容器支持部１３の支持バー１３ｂに下方から支持されるようにする。
容器１を投入すると、回転テーブル１１の回転により容器１の投入されていない容器支持部１３が開閉扉３ａに接近するので、作業者は容器支持部１３に順次容器１を投入してゆく。
そして全ての容器支持部１３に容器１を投入したら、作業者は開閉扉３ａを閉鎖し、図示しない洗浄開始スイッチを操作する。
【００１６】
開閉扉３ａが閉鎖されて洗浄開始スイッチが操作されると、回転テーブル１１は回転速度を少し上げる。
このとき、回転手段５を構成する太陽ギヤ５ｃと各容器支持部１３の遊星ギヤ５ｂとが噛合しているので、回転テーブル１１の回転に伴って全ての容器支持部１３が旋回しながら回転し、これに支持された容器１も水平方向に旋回しながら回転するする。
一方、上記送液ポンプ８が作動して洗浄液を送液し、全ての内洗ノズル６および外洗ノズル７から洗浄液が噴射される。
これにより、内洗ノズル６および外洗ノズル７が噴射する洗浄液は容器１の内面および外面の全体に噴射され、容器１の全面を洗浄することができる。
このとき、上記内洗ノズル６および外洗ノズル７が噴射する洗浄液による容器１を下方に押圧する付勢力の合成力が、容器１を上昇させる付勢力の合成力よりも大きく設定されているので、容器１は容器支持部１３に押圧保持されて容器支持部１３から脱落しないようになっている。
【００１７】
そして、容器１の内面に噴射された洗浄液は、下方に落下して容器１の口部１ｂより排出され、さらに容器支持部１３の保持部材１３ａに形成された排水通路１３ｅより外部に排出される。
また容器１の内部より排出された洗浄液および容器１の外面を洗浄した洗浄液はその後ハウジング３の隔壁３ｂの上部に落下し、隔壁３ｂの上部に一時的に貯溜される。
この洗浄液はその後隔壁３ｂに設けられた排水口３ｃより排水されるとともに配管９を介して送液ポンプ８に供給され、このとき図示しないフィルタやヒータによって、洗浄液から塵等が除去され、また所定の温度に設定されるようになっている。
【００１８】
その後、回転テーブル１１が複数回回転するか、または所定時間経過すると、回転テーブル１１の回転速度が減速されるとともに、上記送液ポンプ８による洗浄液の送液が停止され、容器１の洗浄が終了する。
続いて、作業者は開閉扉３ａを開くとともに、低速で回転する回転テーブル１１より洗浄の終了した容器１を取出せばよい。
【００１９】
なお、上記実施例において、上記太陽ギヤ５ｃについては、上記回転テーブル１１上の容器支持部１３よりも内周側に設けて、該太陽ギヤ５ｃを遊星ギヤ５ｂの内側から噛合させるようにしてもよい。
【００２０】
図５、図６は第２実施例にかかる容器洗浄装置１０２を示し、このうち容器支持手段１０４および回転手段１０５についての拡大図を示している。その他の部分の構成については上記第１実施例と同様であるので詳細な説明は省略し、図中において共通する部材については第１実施例で用いた符号に１００を加算して示す。
上記容器支持部１１３は、回転テーブル１１１より上方に突出するように設けられた内洗ノズル１０６を囲繞するように等間隔に設けられた３つの保持部材１１３ａにより構成されている。
この３つの保持部材１１３ａは、外洗ノズル１０７より噴射される洗浄液が容器１０１の口部１０１ｂにも噴射されるよう、２つの保持部材１１３ａの間に外洗ノズル１０７が位置するように配置されている。
各保持部材１１３ａは軸受１１３ｂを介して回転テーブル１１１に回転可能に設けられ、下方に位置する大径部１１３ｃと、大径部１１３ｃの上方に位置する小径部１１３ｄとから構成されている。
上記３つの小径部１１３ｄによる内接円の径は、容器１０１の口部１０１ｂと略同径となっており、容器１０１を容器支持部１１３に投入する際には、口部１０１ｂを上記３つの保持部材１１３ａの中央に位置させるとともに、口部１０１ｂの先端を大径部１１３ｃと小径部１１３ｄとの段差部に当接させればよい。これにより容器１０１を口部１０１ｂが下方を向いた状態で支持することができる。
そして、口部１０１ｂと小径部１１３ｄとが相互に接触していることから、容器１０１を回転させると摩擦により各保持部材１１３ａが軸受け１１３ｂにより回転し、容器１０１が水平方向に回転するのを許容するようになっている。
【００２１】
上記回転手段１０５は、上記保持部材１１３ａのそれぞれに設けられた上記軸受１１３ｂと、回転テーブル１１１の外周に設けられた固定ガイド１０５ｂと、回転テーブル１１１に設けられた補助ガイド１０５ｃとから構成されている。
上記固定ガイド１０５ｂはハウジング３の隔壁３ｂに設けられた支柱１０５ｄにより容器支持手段１０４の外周を囲繞するように設けられており、容器支持部１１３に支持された容器１０１の底面近傍の側部に接触するようになっている。
また上記固定ガイド１０５ｂのうち、開閉扉１０３ａの位置に該当する部分は該開閉扉１０３ａに固定されており、開閉扉１０３ａを開くと上記支柱１０５ｄに固定されている部分から分離し、開閉扉１０３ａを閉鎖すると連結されて環状に連続するようになっている。
上記補助ガイド１０５ｃは回転テーブル１１１に立設された２つの支柱１０５ｅの上端に回転可能に設けられており、補助ガイド１０５ｃは上記固定ガイド１０５ｂと同じ高さに設けられている。
このような構成により、上記容器１０１が口部１０１ｂを下方に向けた状態で容器支持部１１３に投入されると、容器１０１の底部近傍の外面が固定ガイド１０５ｂおよび補助ガイド１０５ｃに接触するので、容器１０１は３点で保持されて容器支持部１１３から脱落しないようになっている。
なお、これら固定ガイド１０５ｂおよび補助ガイド１０５ｃの接触する部分については、容器１０１が回転手段１０５によって回転するため、当該部分も洗浄することができるようになっている。
【００２２】
次に、本実施例の内洗ノズル１０６は、噴射孔１０６ａが容器１０１の底部と、容器１０１の図示左側、すなわち容器支持手段１０４の外周側の側部および傾斜部１０１ｃに向けて設けられている。一方外洗ノズル１０７には第１実施例と同様に噴射孔１０７ａが設けられている。
そして本実施例では、内洗ノズル１０６および外洗ノズル１０７より噴射される洗浄液による付勢力の合成力を以下のように設定している。
まず容器１０１の上下方向では、内洗ノズル１０６および外洗ノズル１０７が噴射する洗浄液による容器１０１を下方に押圧する付勢力の合成力が、容器１０１を上昇させる付勢力の合成力よりも大きくなるように設定している。
また容器１０１の図示左右方向、すなわち容器支持手段１０４の直径方向では、内洗ノズル１０６および外洗ノズル１０７が噴射する洗浄液によって、容器１０１を回転テーブル１１１の外周側に押圧する付勢力の合成力が生じるように設定されている。
このように付勢力の合成力を設定することで、容器１０１は洗浄液による下方への合成力によって容器支持部１１３に上方から押圧保持され、かつ容器１０１は洗浄液による容器支持手段１０４の外周側への合成力によって上記固定ガイド１０５ｂに押圧されることとなる。
そして、回転テーブル１１１が回転すると、容器１０１と固定ガイド１０５ｂとの間には摩擦が発生し、この摩擦力によって容器１０１は容器支持手段１０５に支持された状態で水平方向に回転する。
このようにして容器１０１が水平方向に回転することから、内洗ノズル１０６および外洗ノズル１０７から噴射された洗浄液が容器１０１の内面および外面の全周に噴射されることとなる。
【００２３】
このように、上記構成を有する容器洗浄装置１０１によれば、なんら容器１０１を容器支持部１１３に押圧保持する部材を用いずとも、容器１０１の内面および外面の全面を洗浄することができる。
【図面の簡単な説明】
【００２４】
【図１】第１実施例にかかる容器洗浄装置の平面図。
【図２】第１実施例にかかる容器洗浄装置の側面図。
【図３】容器支持部および回転手段についての拡大平面図。
【図４】容器支持部および回転手段についての拡大側面図。
【図５】第２実施例にかかる容器支持部および回転手段についての拡大平面図。
【図６】第２実施例にかかる容器支持部および回転手段についての拡大側面図。
【符号の説明】
【００２５】
１，１０１  容器                  １ｂ，１０１ｂ  口部
２，１０２  容器洗浄装置          ４，１０４  容器支持手段
５，１０５  回転手段              ６，１０６  内洗ノズル
７，１０７  外洗ノズル            １１，１１１  回転テーブル
１３，１１３  容器支持部
【図１】
2009125644.tif 000003
【図２】
2009125644.tif 000004
【図３】
2009125644.tif 000005
【図４】
2009125644.tif 000006
【図５】
2009125644.tif 000007
【図６】
2009125644.tif 000008